(57)【特許請求の範囲】
【請求項１】
ケースと、
前記ケース内に収容されるスイッチ素子と、
前記ケースの一部として当該ケースと一体的に片持ち状に延出した構造をなすと共に、少なくとも一部が前記スイッチ素子と対向して配され、その延出構造の基端側を支点として前記スイッチ素子に対し接近又は離間するように撓み変形可能に構成された変位片と、
前記ケースに一体的に固定されると共に前記スイッチ素子から離れた位置において前記変位片と対向して配置され、前記変位片が所定位置を超えて前記スイッチ素子側に撓み変形することを規制する規制部と、を備え、
前記変位片は、
ケース外から当該変位片を前記スイッチ素子側に押し出す押圧操作を受ける押圧部と、
前記変位片の延出方向において前記押圧部の位置からずれた位置に設けられ、前記押圧部に対する前記押圧操作に応じて前記変位片が撓み変形したときに前記スイッチ素子と当接可能な第１当接部と、
前記変位片の延出方向において前記第１当接部の位置からずれた位置に設けられ、前記押圧部に対する前記押圧操作に応じて前記変位片が撓み変形したときに前記規制部と当接可能な第２当接部と、
を有し、
前記押圧部に対する前記押圧操作がなされていないときには、前記第１当接部が前記スイッチ素子から離間した所定の基準位置となり、
前記押圧部に対して前記押圧操作がなされたときには、前記変位片が前記押圧部よりも基端側を支点として前記スイッチ素子側へ撓み変形すると共に、前記第１当接部が前記スイッチ素子と当接して当該スイッチ素子を押圧し、
前記第１当接部が前記スイッチ素子を押圧した後、前記押圧部に対して更なる押圧操作が加えられたときには、前記変位片は、前記押圧部よりも前記第１当接部側を支点として撓み変形し、前記第２当接部が前記規制部と当接する位置に達したときにそれ以上の撓み変形が規制されることを特徴とするスイッチ装置。
【請求項２】
前記変位片は、
前記押圧部に延出構造の基端側から連結する第１連結部と、
前記押圧部に前記第１当接部側から連結する第２連結部と、
を備え、前記押圧部が前記第１連結部及び前記第２連結部よりも厚く構成され、前記押圧部と前記第１連結部及び前記第２連結部とのそれぞれの境界位置がくびれ状に構成されることを特徴とする請求項１に記載のスイッチ装置。
【請求項３】
前記押圧部及び前記第２当接部は、前記変位片の延出方向において前記第１当接部よりも基端寄りに設けられていることを特徴とする請求項１又は請求項２に記載のスイッチ装置。
【請求項４】
前記第２当接部が前記押圧部の裏面側に設けられ、前記第２当接部の少なくとも一部と前記押圧部の少なくとも一部とが前記変位片の延出方向において同位置となっていることを特徴とする請求項１から請求項３のいずれか一項に記載のスイッチ装置。
【請求項５】
前記スイッチ装置を実装する基板を備え、
前記基板は、一側面が前記第２当接部と対向するようにケースに固定されており、前記規制部を兼用する構成をなし、前記変位片が所定位置を超えて前記スイッチ素子側に撓み変形することを規制することを特徴とする請求項１から請求項４のいずれか一項に記載のスイッチ装置。
【請求項６】
前記変位片は、板状に構成されると共に、当該変位片の板厚方向に押圧操作がなされたときに基端側を支点として回動するように撓み変形可能に構成されており、前記基端寄りの支点部位の厚さが他の部位の厚さよりも小さくなっていることを特徴とする請求項１から請求項５のいずれか一項に記載のスイッチ装置。
【請求項７】
前記変位片において基端寄りの支点部位の厚さが前記第１当接部側の支点部位の厚さよりも小さくなっていることを特徴とする請求項６に記載のスイッチ装置。
【請求項８】
前記ケースには、前記変位片を外部から覆う構成で可撓性のシート部材が取り付けられていることを特徴とする請求項１から請求項７のいずれか一項に記載のスイッチ装置。
【発明の詳細な説明】
【技術分野】
【０００１】
本発明は、押圧式のスイッチ装置に関するものである。
【背景技術】
【０００２】
従来、電子機器などの操作を行うために、スイッチ装置が広く用いられている。そして、このようなスイッチ装置としては、所定部位を押圧することで動作可能な構成が提供されている。例えば、このような構成のスイッチ装置としては、特許文献１に示すものが知られている。
【０００３】
特許文献１には、押圧軸部（２２）を有する押しボタン（２０）と、この押しボタン（２０）の押圧軸部（２２）による押圧操作でオンオフされるタクトスイッチ（５０）を固定した台板（４０）とを備えた押しボタンスイッチ装置が記載されている。そして、台板（４０）は、一端部が固定され他端部にタクトスイッチ（５０）を有する片持ち形式のばね性を有しており、タクトスイッチ（５０）への過剰な押圧力を吸収するようになっている。また、この台板（４０）の一端部には、ねじ止め部（４１）が形成されており、支持壁（１０）内の固定部（１０Ｘ）に固定されている。
【先行技術文献】
【特許文献】
【０００４】
【特許文献１】特開２００２−７５１１２号公報
【発明の概要】
【発明が解決しようとする課題】
【０００５】
ところで、上述のような押圧式のスイッチ装置は、一般的には、外部から操作部（ボタン等）に対して過剰な力で押圧操作がなされたとき、この押圧力が装置内に設けられたスイッチ素子に伝達してしまうため、スイッチ素子に大きな押圧荷重が加わり、スイッチ素子の破損を招く虞がある。この点、特許文献１の構成では、スイッチ素子（タクトスイッチ（５０））を搭載した台板（４０）を撓み変形可能に構成しており、押しボタン（２０）からスイッチ素子（タクトスイッチ（５０））に対して押圧荷重が加えられたときに台板を撓ませることで過剰な押圧力をある程度吸収できるようにしている。しかしながら、特許文献１のスイッチ装置では、スイッチ素子（タクトスイッチ（５０））及びこれに付随する部分を搭載する台板（４０）を撓ませているため、大掛かりな撓み構造とならざるを得なかった。例えば、ある程度大きな台板を撓み変形可能な構成で安定的に設置するためには、ねじ等の締結部材及びこれを受けるねじ止め部などを設けなければならず、部品点数や組立工数を抑えることができなかった。
【０００６】
本発明は、上述した課題を解決するためになされたものであり、押圧操作により動作可能なスイッチ素子を備えたスイッチ装置において、部品点数を抑えつつ、大きな押圧力が加えられた場合であってもスイッチ素子の破損を確実に防ぐことが可能な構成をより簡素に実現することを目的とする。
【課題を解決するための手段】
【０００７】
上記目的を達成するため、本発明は、ケースと、前記ケース内に収容されるスイッチ素子と、前記ケースの一部として当該ケースと一体的に片持ち状に延出した構造をなすと共に、少なくとも一部が前記スイッチ素子と対向して配され、その延出構造の基端側を支点として前記スイッチ素子に対し接近又は離間するように撓み変形可能に構成された変位片と、前記ケースに一体的に固定されると共に前記スイッチ素子から離れた位置において前記変位片と対向して配置され、前記変位片が所定位置を超えて前記スイッチ素子側に撓み変形することを規制する規制部と、を備え、前記変位片は、ケース外から当該変位片を前記スイッチ素子側に押し出す押圧操作を受ける押圧部と、前記変位片の延出方向において前記押圧部の位置からずれた位置に設けられ、前記押圧部に対する前記押圧操作に応じて前記変位片が撓み変形したときに前記スイッチ素子と当接可能な第１当接部と、前記変位片の延出方向において前記第１当接部の位置からずれた位置に設けられ、前記押圧部に対する前記押圧操作に応じて前記変位片が撓み変形したときに前記規制部と当接可能な第２当接部と、を有し、前記押圧部に対する前記押圧操作がなされていないときには、前記第１当接部が前記スイッチ素子から離間した所定の基準位置となり、前記押圧部に対して前記押圧操作がなされたときには、前記変位片が前記押圧部よりも基端側を支点として前記スイッチ素子側へ撓み変形すると共に、前記第１当接部が前記スイッチ素子と当接して当該スイッチ素子を押圧し、前記第１当接部が前記スイッチ素子を押圧した後、前記押圧部に対して更なる押圧操作が加えられたときには、前記変位片は、前記押圧部よりも前記第１当接部側を支点として撓み変形し、前記第２当接部が前記規制部と当接する位置に達したときにそれ以上の撓み変形が規制されることを特徴とする。
【発明の効果】
【０００８】
本発明では、ケースの一部として当該ケースと一体的に片持ち状に延出した構造をなす変位片が、スイッチ素子と対向して配されている。また、この変位片は、延出構造の基端側を支点として撓み変形可能に構成されており、ケース外から当該変位片をスイッチ素子側に押し出す押圧操作を受ける押圧部と、変位片の延出方向において押圧部の位置からずれた位置に設けられ、押圧部に対する押圧操作に応じて変位片が撓み変形したときにスイッチ素子と当接可能な第１当接部を備えている。このように、スイッチ素子に当接する第１当接部が、押圧部の位置からずれた位置に設けられているので、突発的な強い押圧力がスイッチ素子に直接加わることが抑えられ、このような強い押圧に起因するスイッチ素子の破損を効果的に防ぐことができる。
【０００９】
さらに、ケースに一体的に固定される構成で規制部が設けられ、変位片側には、この規制部と当接可能な第２当接部が設けられている。そして、第１当接部がスイッチ素子を押圧した後、押圧部に対して更なる押圧操作が加えられたときには、変位片は、第１当接部側を支点として撓み変形し、第２当接部が規制部と当接する位置に達したときにそれ以上の撓み変形が規制されるようになっている。この構成では、第１当接部がスイッチ素子を押圧した後、さらに押圧部に対して押圧操作が加えられると、第２当接部が規制部によって受け止められるので、変位片がそれ以上スイッチ素子側に移動することが抑えられ、押圧操作量が大きすぎることに起因するスイッチ装置の破損を確実に抑えることができる。
特に、変位片と規制部を主要素とする簡素な構成により上記効果を奏することができ、緩衝材等を削減することができるため、製品全体の部品点数を抑える上でより有利となる。
【００１０】
請求項３の発明では、変位片の延出方向において、押圧部（押圧操作を受ける部分）及び第２当接部（規制部と当接する部分）が第１当接部（スイッチ素子と当接する部分）よりも基端寄りに設けられている。このように、延出部の先端側に第１当接部を配置し、基端寄りに押圧部及び第２当接部を配置すると、より小さな押圧操作量で第１当接部を十分に変位させやすくなり、変位片の変位スペースを抑えて小型化を図りやすくなる。また、片持ち状に構成される変位片において、より先端側に第１当接部が配置されるため、第１当接部付近はより撓みやすくなり、スイッチ素子に対する過剰な押圧をより抑制することができる。
【００１１】
請求項４の発明では、第２当接部が押圧部の裏面側に設けられ、第２当接部の少なくとも一部と押圧部の少なくとも一部とが変位片の延出方向において同位置となっている。
このように、押圧部に対応した位置（押圧部の真裏）に第２当接部の少なくとも一部が配置されているので、ケース外から押圧部に対して過剰な押圧操作がなされたときにこの押圧力がその真裏の位置で規制部に受けられることになる。従って、第２当接部が規制部に当接した後には、変位片にそれ以上の変位や撓みが生じ難くなり、スイッチ素子に対する過度な荷重増加を確実に防ぐことができる。
【００１２】
請求項５の発明では、スイッチ装置が基板に実装されており、この基板は、一側面が第２当接部と対向するようにケースに固定されている。そして、基板は、規制部を兼用する構成をなしており、変位片が所定位置を超えてスイッチ素子側に撓み変形することを規制するようにしている。このように、基板が規制部を兼用する構成とすることで、部品点数をより抑えることができる。
【００１３】
請求項６の発明では、変位片が板状に構成されている。そして、この変位片は、板厚方向に押圧操作がなされたときに基端側を支点として回動するように撓み変形可能に構成されており、基端寄りの支点部位の厚さが他の部位の厚さよりも小さくなっている。このようにすることで、変位片をより撓みやすくすることができ、小さな操作力でスイッチ素子を押圧しやすくなる。
【００１４】
請求項７の発明では、変位片において基端寄りの支点部位の厚さが、第１当接部側の支点部位の厚さよりも小さく構成されている。この構成では、より小さな操作力でスイッチ素子を押圧可能な構成を実現しつつ、第１当接部がスイッチ素子に当接した後に第１当接部側を支点として撓みやすい構成、ひいては、スイッチ素子に過剰な押圧力がより伝達されにくい構成を実現することができる。
【００１５】
請求項８の発明では、ケースに、変位片を外部から覆う構成で可撓性のシート部材が取り付けられている。この構成により、変位片とケースの隙間から水分や粉塵などが入り込むことを抑えることができる。また、シート部材を設けることで、外側からケース内部の構造が直接見えないため、意匠性を高めることができる。
【図面の簡単な説明】
【００１６】
【図１】図１は、第１実施形態に係るスイッチ装置を概略的に例示する断面説明図である。
【図２】図２（Ａ）は、図１のスイッチ装置の側面図であり、図２（Ｂ）は、図２（Ａ）のスイッチ装置からシート部材を取り外した状態の図である。
【図３】図３は、スイッチ装置の押圧動作を説明する説明図であり、図３（Ａ）は、外部から押圧操作がなされていない自然状態を示し、図３（Ｂ）は、変位片をスイッチ素子側に近づける押圧操作がなされスイッチ素子がオンされた状態を示し、図３（Ｃ）は、変位片の第２当接部が基板に当接してスイッチ素子側への撓みが規制された状態を示している。
【図４】図４は、第１実施形態における他の変形例に係るスイッチ装置を説明する説明図であり、図４（Ａ）は、外部から押圧操作がなされていない自然状態を示し、図４（Ｂ）は、変位片をスイッチ素子側に近づける押圧操作がなされスイッチ素子がオンされた状態を示し、図４（Ｃ）は、変位片の第２当接部が基板に当接してスイッチ素子側への撓みが規制された状態を示している。
【発明を実施するための形態】
【００１７】
[第１実施形態]
以下、本発明のスイッチ装置を具現化した第１実施形態について、図面を参照して説明する。
なお、図１は、第１実施形態に係るスイッチ装置を概略的に例示する断面説明図である。
図２（Ａ）は、図１のスイッチ装置の側面図であり、図２（Ｂ）は、図２（Ａ）のスイッチ装置からシート部材を取り外した状態の図である。
【００１８】
（全体構成）
図１に示すスイッチ装置１は、外部操作可能なスイッチを備えた電子機器として構成されるものであり、例えば、ＩＣカードやその他の無線タグを読み取り得る据置型或いは携帯型の非接触通信端末、又はバーコードやその他の二次元コードなどを読み取る据置型或いは携帯型の光学的情報読取装置などとして構成されるものである。このスイッチ装置１は、装置の外殻をなすケース１０と、ケース１０内に収容されるスイッチ素子４０と、ケース１０の一部として設けられる変位片２０と、ケース１０内に固定される基板４２とを備えている。また、ケース１０の変位片２０を外部から覆う構成でシート部材１６が設けられている。
【００１９】
ケース１０は、例えば樹脂材料などからなる複数のケース部材が結合されてなるものであり、本構成では、例えば、主に上ケース（図示略）と下ケース（図示略）とから構成され、これらが結合した箱状形態をなしている。そして、このケース１０の内部には、スイッチ素子４０とともに、各種部品（各種電子部品等）が収容されている。また、ケース１０の側壁１２には、スイッチ素子４０と対向する位置に切欠き１１が設けられており、この切欠き１１内に変位片２０が配置されている。
【００２０】
スイッチ素子４０は、例えば、タクトスイッチ等からなり、押圧されることでオン動作される（オン信号を出力する）ようになっている。このスイッチ素子４０は、各種電子部品（図示略）とともに基板４２に実装されており、ケース１０内の所定の位置で保持されている。また、このスイッチ素子４０は、押圧作用を受ける被押圧面４０ａが形成されている。この被押圧面４０ａは、例えば樹脂材料や金属材料などによって構成されており、所定方向（本実施形態では、基板４２の基板面４２ａと平行な方向であって、変位片２０の厚さ方向）を変位方向（押圧方向）とする構成で押圧操作可能となっている。
【００２１】
基板４２は、上述したように、各種電子部品とともに、スイッチ素子４０を実装しており、ネジ等の締結部材（図示略）によってケース１０に固定されている。具体的には、基板４２は、スイッチ素子４０から離れた位置において、板厚面（側面）４２ｂが変位片２０の第２当接部３０（後述）と対向するように配置されている。また、図１に示すように、基板４２は、基板面（板面）４２ａが、板状に構成される変位片２０の対向面２０ａ（後述）及びスイッチ素子４０の被押圧面４０ａに対して略垂直となるように配置されている（換言すれば、変位片２０の厚さ方向と、基板４１の厚さ方向が略直交する位置関係となっている）。そして、基板４２は、変位片２０が所定位置を超えてスイッチ素子４０側に撓み変形することを規制するようになっている（詳細は後述、図３参照）。なお、基板４２は、「規制部」の一例に相当する。また、板厚面４２ｂは、「一側面」の一例に相当する。
【００２２】
変位片２０は、ケース１０の一部をなすものであり、図１に示すように、スイッチ素子４０の被押圧面４０ａから所定距離隔てた位置において、この被押圧面４０ａ及び基板４２の板厚面４２ｂと対向する形態で配置されている。なお、ここでは、変位片２０において、被押圧面４０ａ及び基板４２の板厚面４２ｂと対向する側の面を対向面２０ａという。この変位片２０は、板状に構成されると共に側壁１２に形成された切欠き１１内において、当該切欠き１１の所定の端部１１ａから片持ち状に延出した構造をなしている。より具体的には、変位片２０は、基板面４２ａと平行な方向を板厚方向（厚さ方向）とする構成で、切欠き１１の端部１１ａから片持ち状に延出している。また、変位片２０は、切欠き１１の端部１１ａ（すなわち、基端部２２（後述））側を支点として、回動するように撓み変形可能に構成されており、スイッチ素子４０に対し接近又は離間するように変位する。なお、本構成では、変位片２０を構成するケース１０が、例えば弾性変形可能な樹脂材料等によって構成されており、変位片２０は、図３のように弾性的に変形し得るようになっている。
【００２３】
この変位片２０には、ケース１０と接続された基端部２２（基端側）から所定距離離れて先端部２４が設けられている。そして、基端部２２と先端部２４との間においてスイッチ素子４０及び板厚面４２ｂと対向する側とは反対側（すなわち、対向面２０ａとは反対のケース１０の外面側）には、ケース１０の外面側（当該変位片２０の厚さ方向一方側）に突出する形態の押圧部２６が設けられている。この押圧部２６は、後述する第２当接部３０の裏側の位置を頂点とする構成で、山形（ドーム状）に形成されている。そして、本構成では、この押圧部２６を指等によりケース外から押圧（図４の例では、シート部材１６を介して押圧）することで、この押圧力が変位片２０を介してスイッチ素子４０に伝搬し、スイッチ素子４０を動作させることが可能となっている。
【００２４】
基端部２２と押圧部２６とを連結する連結部２３は、変位片２０の延出方向に長い細長形状に構成されている。また、この連結部２３の厚さαは、先端側延出部２５の厚さ（具体的には、押圧部２６と第１当接部２８の間の部分の厚さβ）よりも小さく構成されている。具体的に、基端部２２寄りの支点部位Ｐ１の厚さが他の部位の厚さ（とりわけ押圧部２６と先端側延出部２５との境界位置Ｐ２ａの厚さ）よりも小さくなっている。そして、この連結部２３は、ケース１０との境目部分（即ち、基端部２２）又は基端部２２寄りの位置を支点として、撓み変形可能に構成されている。すなわち、基端部２２寄りの支点部位Ｐ１が、他の部位よりもより撓み変形しやすく剛性の低い構造となっている。
【００２５】
そして、先端側延出部２５におけるスイッチ素子４０の被押圧面４０ａと対向する位置には、対向面２０ａから基板４２側に円錐台形状に突出して設けられる第１当接部２８が設けられている。この第１当接部２８は、図１に示すように、変位片２０の延出方向において押圧部２６の位置からずれた位置（より詳しくは、押圧部２６の位置よりも先端側の位置）に設けられ、押圧部２６に対する押圧操作に応じて変位片２０が撓み変形したときに、第１当接面２８ａがスイッチ素子４０と当接可能となっている（図３（Ｃ）参照）。また、押圧部２６に対する押圧操作がなされていないときには、第１当接部２８がスイッチ素子４０から離間した所定の基準位置となる（図１、図３（Ａ）参照）。
【００２６】
さらに、押圧部２６の裏面側には、図１に示すように、対向面２０ａから円錐台形状に突出して設けられる第２当接部３０が設けられている。具体的に、この第２当接部３０は、押圧部２６と変位片２０の延出方向において同位置となるように形成されている。また、第２当接部３０は、変位片２０の延出方向において第１当接部２８の位置からずれた位置に設けられ、押圧部２６に対する押圧操作に応じて変位片２０が撓み変形したときに基板４２と当接可能となっている。より具体的に、この第２当接部３０は、変位片２０の延出方向において第１当接部２８よりも基端部２２寄りに設けられている。また、変位片２０の厚さ方向一方側（基板４２側）への突出度合いとしては、第２当接部３０の突出度合い（すなわち円錐台形状の高さ）のほうが、第１当接部２８の突出度合いよりも大きくなるように構成されている。また、図１に示すような自然状態において、第１当接部２８と被押圧面４０ａとの間隔よりも、第２当接部３０と板厚面４２ｂとの間隔のほうが大きくなっており、図３のように押圧操作がなされたときには、第２当接部３０が板厚面４２ｂに当接するよりも先に第１当接部２８が被押圧面４０ａに当接するようになっている。なお、第２当接部３０の突出度合いは、対向する基板４２の板厚面４２ｂとの距離や変位片２０における位置などに応じて適宜変更することができる。
【００２７】
シート部材１６は、可撓性を有しており、変位片２０及び切欠き１１の全体を外部から覆う構成でケース１０に取り付けられている。従って、図２（Ａ）のように側面視したときに、シート部材１６の後ろに変位片２０及び切欠き１１が隠れることとなり、これらが外部から視認できないようになっている。シート部材１６は、例えば、ポリカーボネイトやポリエチレンテレフタラートなどの樹脂から構成することができる。また、シート部材の外部に露出する側（変位片２０を覆う側とは反対側）の面に、所定の文字や記号（例えば、「ＯＮ」や「電源」など）が印字されている。このようにシート部材１６を設けることで、防塵性や防水性を確保し、且つ、意匠性も高めることができる。また、可撓性のシート部材１６を設けることで、変位片２０が設けられている部位を保護することが可能となる。
【００２８】
（スイッチ装置の押圧動作）
次に、上述のように構成されるスイッチ装置１において、変位片２０へ押圧操作がなされスイッチ素子４０をオン動作させる様子を、図３を用いて説明する。
図３は、スイッチ装置１の押圧動作を説明する説明図であり、図３（Ａ）は、外部から押圧操作がなされていない自然状態を示し、図３（Ｂ）は、変位片２０をスイッチ素子４０側に近づける押圧操作がなされスイッチ素子４０がオンされた状態を示し、図３（Ｃ）は、変位片２０の第２当接部３０が基板４２に当接してスイッチ素子４０側への撓みが規制された状態を示している。
【００２９】
まず、変位片２０に対して外部から押圧操作がなされていない自然状態のときには、図３（Ａ）のように、当該変位片２０が、スイッチ素子４０から離間した所定の基準位置（変位片２０の対向面２０ａがケース１０の側壁１２と略面一となる位置でケース１０に保持されている。なお、図３（Ａ）は、使用者の指からの押圧力が変位片２０に対してほとんど加わっていない状態を示している。なお、図３（Ａ）の構成、位置関係は図１と同一である。
【００３０】
そして、図３（Ｂ）のように、変位片２０をスイッチ素子４０側に近づける押圧操作（即ち、変位片２０をその厚さ方向に押す押圧操作）がなされたときには、変位片２０が基端部２２寄りの支点部位Ｐ１を支点として、スイッチ素子４０側へ撓み変形する。即ち、支点部位Ｐ１がほぼ定位置となり、この支点部位Ｐ１を中心として回動するように撓み変形する。そして、支点部位Ｐ１を支点としてある程度撓み変形したときに、図３（Ｂ）のように第１当接部２８の第１当接面２８ａがスイッチ素子４０の被押圧面４０ａと当接して当該スイッチ素子４０を押圧する。このとき、シート部材１６も変位片２０と共に、スイッチ素子４０側へ撓むようになっている。このようにスイッチ素子４０が押圧されることで、当該スイッチ素子４０がオン状態となる。本構成では、図３（Ｂ）のように、スイッチ素子４０がオン状態となる位置まで押されても第２当接部３０が板厚面４２ｂに当接しないようになっており、被押圧面４０ａが移動可能な限界位置に達するまで変位片２０が押されても、第２当接部３０が板厚面４２ｂに当接しないようになっている。
【００３１】
そして、第１当接部２８がスイッチ素子４０を押圧した後、押圧部２６に対して更なる押圧操作が加えられて、変位片２０がスイッチ素子４０側へ変位して所定位置（図４（Ｃ）に示す位置）に達したときには、変位片２０は、押圧部２６よりも第１当接部２８側（具体的には、第１当接部２８において被押圧面４０ａと接触する部分）を支点として撓み変形する。即ち、第１当接部２８において被押圧面４０ａと接触する部分がほぼ定位置となり、この部分を定位置として、押圧部２６と第１当接部２８との間が基板４２側に移動するように撓み変形する。つまり、図３（Ｃ）のような状態では、支点部位Ｐ１と第１当接面２８ａとがほぼ定位置となり、この間の部分が基板４２側に近づくように撓み変形することになる。そして、第１当接部２８側（第１当接部２８において被押圧面４０ａと接触する部分）を支点として撓み変形した後、図３（Ｃ）のように第２当接部３０の第２当接面３０ａが基板４２の板厚面４２ｂと当接する位置に達したときに、それ以上の撓み変形が規制されるようになっている。なお、図３の例では、変位片２０において押圧部２６の部分が、その両側の連結部２３及び先端側延出部２５よりも厚く構成されており、その境界位置Ｐ２ａ位置及びＰ２ｂ位置がくびれ状に構成されているため、この位置（特にＰ２ａの位置）が折れ曲がりやすく、撓み変形しやすくなっている。
【００３２】
（本実施形態の主な効果）
以上説明したように、本第１実施形態に係るスイッチ装置１では、ケース１０の一部として片持ち状に延出した構造をなす変位片２０が、スイッチ素子４０と対向して配されている。また、この変位片２０は、延出構造の基端側を支点として撓み変形可能に構成されており、ケース１０外から当該変位片２０をスイッチ素子４０側に押し出す押圧操作を受ける押圧部２６と、変位片２０の延出方向において押圧部２６の位置からずれた位置に設けられ、押圧部２６に対する押圧操作に応じて変位片２０が撓み変形したときにスイッチ素子４０と当接可能な第１当接部２８を備えている。このように、スイッチ素子４０に当接する第１当接部２８が、押圧部２６の位置からずれた位置に設けられているので、ケース１０外からの押圧力がスイッチ素子４０に直接加わることが抑えられる。
【００３３】
さらに、変位片２０が所定位置を超えてスイッチ素子４０側に撓み変形することを規制する基板４２が設けられている。また、変位片２０は、押圧部２６に対する押圧操作に応じて当該変位片２０が撓み変形したときに基板４２と当接可能な第２当接部３０を有しており、変位片２０の延出方向において第１当接部２８の位置からずれた位置に設けられている。そして、第１当接部２８がスイッチ素子４０を押圧した後、押圧部２６に対して更なる押圧操作が加えられたときには、変位片２０は、第１当接部２８側を支点として撓み変形し、第２当接部３０が基板４２（規制部）と当接する位置に達したときにそれ以上の撓み変形が規制されるようになっている。このように、第１当接部２８がスイッチ素子４０を押圧した後、さらに押圧部２６に対して押圧操作が加えられると、第２当接部３０が基板４２によって受け止められるので、過剰な押圧による衝撃が分散され、スイッチ装置１の破損を確実に抑えることができる。
また、緩衝材等を用いることなく、変位片２０と基板４２の簡素な構成により上記効果を奏することができ、部品点数を抑えることができる。
【００３４】
また、第２当接部３０が、変位片２０の延出方向において第１当接部２８よりも基端寄りに設けられている。このように構成することで、ケース１０外からの押圧力がスイッチ素子４０に直接加わることをより抑えることができる。また、例えば、変位片２０が基端側を支点として回動するように撓む構成では、第１当接部２８の変位量（移動距離）を大きくさせることができ、スイッチ素子４０の押圧操作を確実に行うことができる。
【００３５】
また、第２当接部３０が押圧部２６の裏面側に設けられ、第２当接部３０の少なくとも一部と押圧部２６の少なくとも一部とが変位片２０の延出方向において同位置となっている。
このように、押圧部２６に対応した位置に第２当接部３０が配置されているので、ケース１０外から押圧部２６へ押圧操作がなされたときにこの押圧力が第２当接部３０へ直接伝達するため、第２当接部３０が基板４２に当接することで過剰な押圧力をより確実に受け止めることができる。
【００３６】
また、スイッチ装置１が基板４２に実装されており、この基板４２は、一側面（板厚面４２ｂ）が第２当接部３０と対向するようにケース１０に固定されている。そして、基板４２は、規制部を兼用する構成をなしており、変位片２０が所定位置を超えてスイッチ素子４０側に撓み変形することを規制するようにしている。このように、基板４２が規制部を兼用する構成とすることで、部品点数をより抑えることができる。
【００３７】
また、変位片２０が板状に構成されている。そして、この変位片２０は、板厚方向に押圧操作がなされたときに基端側を支点として回動するように撓み変形可能に構成されており、基端寄りの支点部位の厚さが他の部位の厚さよりも小さくなっている。この構成により、変位片２０の基端寄りの支点部位が他の部位より撓みやすくなり、確実にスイッチ素子４０を押圧することができる。
【００３８】
また、変位片２０において基端寄りの支点部位の厚さが、第１当接部２８側の支点部位の厚さよりも小さく構成されている。この構成により、変位片２０において基端寄りの支点部位が、第１当接部２８側の支点部位よりも先に撓みやすくなり、延出構造の基端側を支点として回動するように変位片２０が撓み変形する構成において、より確実にスイッチ素子４０を押圧することができる。
【００３９】
また、ケース１０に、変位片２０を外部から覆う構成で可撓性のシート部材１６が取り付けられている。この構成により、変位片２０とケース１０の隙間から水分や粉塵などが入り込むことを抑えることができる。また、シート部材１６を設けることで、外側からケース１０内部の構造が直接見えないため、意匠性を高めることができる。
【００４０】
［他の実施形態］
本発明は上記記述及び図面によって説明した実施形態に限定されるものではなく、例えば次のような実施形態も本発明の技術的範囲に含まれる。
【００４１】
上記実施形態では、基板４２の板厚面４２ｂが変位片２０の第２当接部３０と対向するように配置された構成を例示したが、基板４２の配置は特にこれに限定されず、例えば、スイッチ装置１０１は、図４に示すように、基板４２の基板面４２ａが第２当接部３０と対向するように配置されていてもよい。またこの場合、スイッチ素子４０は、被押圧面４０ａが基板面４２ａに対して略平行に配置される。そして、変位片２０をスイッチ素子４０側に近づける押圧操作がなされて、第１当接部２８がスイッチ素子４０を押圧した後（図４（Ｂ））、押圧部２６に対して更なる押圧操作が加えられると、第２当接部３０の第２当接面３０ａは基板４２の基板面４２ａと当接するようになっている。このような構成でも、第１実施形態と同様の作用を生じ、同様の効果を得ることができる。
【００４２】
上記実施形態では、ケース１０に、変位片２０を外部から覆う構成で可撓性のシート部材１６が取り付けられた構成を例示したが、シート部材１６を省略した構成としてもよい。
【００４３】
上記実施形態では、基板４２が規制部を兼用する構成としたが、規制部と基板４２は別体で設けられていてもよい。この場合、規制部は、ケース１０に設けられるリブ（図示略）などによって構成されていてもよい。
【００４４】
上記実施形態では、変位片２０がケース１０の一部として設けられた構成を例示したが、変位片２０はケース１０と別体で設けるようにしてもよい。
【符号の説明】
【００４５】
１、１０１…スイッチ装置
１０…ケース
１１…切欠き
１１ａ…端部
１２…側壁
１６…シート部材
２０…変位片
２０ａ…対向面
２２…基端部
２４…先端部
２３…連結部
２６…押圧部
２８…第１当接部
２８ａ…第１当接面
３０…第２当接部
３０ａ…第２当接面
４０…スイッチ素子
４０ａ…被押圧面
４２…基板（規制部）
４２ａ…基板面
４２ｂ…板厚面
【図１】
0005842669.tif 000002
【図２】
0005842669.tif 000003
【図３】
0005842669.tif 000004
【図４】
0005842669.tif 000005